(57)【特許請求の範囲】
【請求項１】
被取付部に取り付けられる取付部と、
前記取付部に取り付けられ、発光部及び当該発光部に電力を供給する電源回路が設けられた器具本体と、
前記発光部を覆って、前記器具本体に取り付けられた透光性カバーと、
前記器具本体を覆って、当該器具本体に取り付け可能な前面カバーと、
前記器具本体及び前記前面カバーを囲むための筒状の枠体と、を備え、
前記前面カバーには、当該前面カバーを前記器具本体に取り付けるための第１の係合部が設けられ、
前記器具本体には、前記前面カバーを当該器具本体に取り付けるための第２の係合部が設けられ、
前記前面カバーは、前記第１の係合部と前記第２の係合部とが掛かり合うことで、前記器具本体に着脱自在に取り付けられ、
前記枠体は、前記第１の係合部と前記第２の係合部とが掛かり合うことで、前記前面カバーと前記被取付部又は前記取付部とに挟まれ、挟持される
照明器具。
【請求項２】
前記前面カバーは、透光性を有し、前記透光性カバーから照射される光を拡散する
請求項１に記載の照明器具。
【請求項３】
前記前面カバーは、透光性を有さず、前記透光性カバーから照射される光を通過させる開口を有する
請求項１に記載の照明器具。
【請求項４】
前記前面カバーは、
底部と、
前記底部から前記被取付部に向かって突出した第１の周壁と、を有し、
前記器具本体は、前記電源回路及び前記発光部を囲む第２の周壁を有し、
前記底部及び前記第１の周壁は、前記第２の周壁を覆う
請求項１〜３のいずれか１項に記載の照明器具。
【請求項５】
前記前面カバーは、前記底部の周縁から突出し、前記第１の周壁を囲む第３の周壁を有する
請求項４に記載の照明器具。
【請求項６】
前記第１の周壁は、内周形状が環状であり、
前記第１の係合部は、前記第１の周壁の内周面に設けられたねじ山であり、
前記第２の周壁は、外周形状が環状であり、
前記第２の係合部は、前記第２の周壁の外周面に設けられたねじ山であり、
前記第１の係合部と前記第２の係合部とは、前記第１の周壁が前記第２の周壁にねじ入れられることで、掛かり合う
請求項４又は５に記載の照明器具。
【請求項７】
前記枠体は、前記第１の周壁が前記第２の周壁にねじ入れられることで前記前面カバーと前記被取付部又は前記取付部とに挟まれ、挟持される
請求項６に記載の照明器具。
【請求項８】
前記取付部には、前記被取付部に取り付けられる引掛栓刃部が設けられている
請求項１〜７のいずれか１項に記載の照明器具。
【発明の詳細な説明】
【技術分野】
【０００１】
本発明は、照明器具に関する。
【背景技術】
【０００２】
従来、天井又は壁等に直接取り付けられる照明器具、又は、天井に取り付けられた引掛シーリングに取り付けられる照明器具等が知られている。特許文献１には、このような照明器具に関連する技術が記載されている。
【先行技術文献】
【特許文献】
【０００３】
【特許文献１】特開２０１５−８１４９号公報
【発明の概要】
【発明が解決しようとする課題】
【０００４】
ところで、照明器具は一度設置すると照明器具の見た目（外観）を変えることが難しいが、照明器具の外観を変えたいという要望がある。これに対して、例えば、照明器具の前面（光を主に放出する面）を覆う前面カバーが取り換えられることで照明器具の外観が変えられる。例えば、半球形状の前面カバーを、角柱形状の前面カバーに取り換えることで、照明器具の外観を変更することができる。
【０００５】
しかし、前面カバーがねじ又は接着剤等で固定されていることがあり、ユーザが容易に前面カバーを着脱することができないことがある。
【０００６】
そこで本発明は、ユーザが前面カバーを容易に取り換えることができ、外観を変えることができる照明器具を提供することを目的とする。
【課題を解決するための手段】
【０００７】
本発明の一態様に係る照明器具は、被取付部に取り付けられる取付部と、前記取付部に取り付けられ、発光部及び当該発光部に電力を供給する電源回路が設けられた器具本体と、前記発光部を覆って、前記器具本体に取り付けられた透光性カバーと、前記器具本体を覆って、当該器具本体に取り付け可能な前面カバーと、を備え、前記前面カバーには、当該前面カバーを前記器具本体に取り付けるための第１の係合部が設けられ、前記器具本体には、前記前面カバーを当該器具本体に取り付けるための第２の係合部が設けられ、前記前面カバーは、前記第１の係合部と前記第２の係合部とが掛かり合うことで、前記器具本体に着脱自在に取り付けられる。
【発明の効果】
【０００８】
本発明の一態様に係る照明器具によれば、ユーザが前面カバーを容易に取り換えることができ、外観を変えることができる。
【図面の簡単な説明】
【０００９】
【図１】実施の形態１に係る照明器具の外観斜視図である。
【図２】実施の形態１に係る照明器具の分解斜視図である。
【図３】実施の形態１に係る照明器具の上面図及び断面図である。
【図４】実施の形態１に係る前面カバーを器具本体に取り付ける方法を説明する図である。
【図５】実施の形態１に係る透光性を有さない前面カバーが取り付けられた照明器具を説明する図である。
【図６】実施の形態１の変形例に係る照明器具の外観斜視図である。
【図７】実施の形態１の変形例に係る照明器具を下側から見た分解斜視図である。
【図８】実施の形態１の変形例に係る照明器具の上面図及び断面図である。
【図９】実施の形態１の変形例に係る枠体を取り付ける方法を説明する図である。
【図１０】実施の形態２に係る照明器具の外観斜視図である。
【図１１】実施の形態２に係る照明器具を上側から見た分解斜視図である。
【図１２】実施の形態２の変形例に係る照明器具の外観斜視図である。
【図１３】実施の形態２の変形例に係る照明器具の上面図及び断面図である。
【発明を実施するための形態】
【００１０】
以下では、本発明の実施の形態に係る照明器具について、図面を用いて詳細に説明する。なお、以下に説明する実施の形態は、いずれも本発明の好ましい一具体例を示すものである。従って、以下の実施の形態で示される数値、形状、材料、構成要素、構成要素の配置及び接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。
【００１２】
（実施の形態１）
以下、実施の形態１について、図１から図５を用いて説明する。
【００１３】
［照明器具の構成］
図１は、実施の形態１に係る照明器具１の外観斜視図である。
【００１４】
照明器具１は、天井又は壁等に取り付けられる照明器具である。照明器具１が天井又は壁等に取り付けられ、使用されるときには、照明器具１は例えば前面カバー３０に覆われた状態になる。従って、図１に示されるように、照明器具１の見た目（外観）は、例えば、前面カバー３０の見た目（外観）となる。また、照明器具１を上面視した場合（ｚ軸方向から見た場合）の照明器具１の寸法は、例えば１３０ｍｍ程度である。また、照明器具１の厚み（ｚ軸方向の長さ）は例えば５０ｍｍ程度である。なお、以下の実施の形態では、＋ｚ軸方向を上側、−ｚ軸方向を下側と表現する。
【００１５】
図２は、実施の形態１に係る照明器具１の分解斜視図である。図２の（ａ）は、照明器具１を上側から見た分解斜視図である。図２の（ｂ）は、照明器具１を下側から見た分解斜視図である。
【００１６】
図２に示されるように、照明器具１は、取付部１０、器具本体２０及び前面カバー３０を備える。
【００１７】
取付部１０は、被取付部（天井又は壁等）に取り付けられる部材である。取付部１０は、取付板１１、電線挿通孔１２、ねじ孔１３及びねじ受け孔１４を有する。取付部１０の材質は、例えば金属である。
【００１８】
取付板１１は、被取付部（天井又は壁等）に取り付けられる板である。取付板１１は、例えば円形形状を有する。なお、取付板１１の形状は、円形形状に限らず、多角形形状等でもよい。
【００１９】
電線挿通孔１２は、天井又は壁等からの電線（例えばＶＶＦケーブル）を器具本体２０へ挿通するための孔であり、取付板１１に設けられる。
【００２０】
ねじ孔１３は、取付板１１を天井又は壁等に取り付けるためのねじ（図示せず）を通す孔であり、取付板１１に設けられる。
【００２１】
ねじ受け孔１４は、器具本体２０を取付部１０に取り付けるためのねじ（図示せず）を受ける孔であり、取付板１１から下側へ突出した突起に設けられた孔である。ねじ受け孔１４には、例えば、ねじを受けるためのねじ山が設けられる。
【００２２】
器具本体２０は、取付部１０に取り付けられて固定される。器具本体２０は、例えば、円形形状の底面の周縁から上側へ向けて第２の周壁２４が突出した略有底円筒形状の上側が開口した筐体である。器具本体２０は、上側の開口に取付部１０が嵌め込まれるようにして取付部１０に取り付けられる。器具本体２０は、底面にも開口を有し、底面の開口には透光性カバー２７が取り付けられる。器具本体２０には、電源回路２１、発光部２２及び端子台２３が設けられる。また、電源回路２１、発光部２２及び端子台２３は、器具本体２０が有する第２の周壁２４に囲まれる。器具本体２０は、後述する発光部２２の点灯により発生する熱を放熱するための放熱体として、例えばアルミ材により形成される。また、器具本体２０は、第２の係合部２５及びガイド孔２６を有する。
【００２３】
電源回路２１は、発光部２２に供給するための電力を生成する電源回路である。電源回路２１は、例えば交流電力から直流電力を生成する。
【００２４】
発光部２２は、透光性カバー２７へ光を発する光源であり、表面実装（ＳＭＤ：Ｓｕｒｆａｃｅ    Ｍｏｕｎｔ    Ｄｅｖｉｃｅ）型の発光モジュールであって、基板と、基板に実装されたＬＥＤ（Ｌｉｇｈｔ  Ｅｍｉｔｔｉｎｇ  Ｄｉｏｄｅ）パッケージとを備える。なお、発光部２２は、ＣＯＢ（Ｃｈｉｐ  Ｏｎ  Ｂｏａｒｄ）型の発光モジュールであってもよい。
【００２５】
端子台２３は、電線挿通孔１２から器具本体２０へ挿通された電線を電源回路２１へ中継接続する。これにより、電源回路２１は、例えば交流電力が供給される。
【００２６】
第２の周壁２４は、電源回路２１、発光部２２及び端子台２３を側方から囲む外周形状が例えば環状の周壁である。第２の周壁２４により、電源回路２１、発光部２２及び端子台２３は保護される。なお、第２の周壁２４は、周壁面に開口を有してもよく、図２に示されるように、連続して繋がった周でなくてもよい。
【００２７】
第２の係合部２５は、後述する前面カバー３０を器具本体２０に取り付ける構造を有する。例えば、第２の係合部２５は、第２の周壁２４の外周面に設けられたねじ山である。具体的には、第２の係合部２５は、第２の周壁２４の周方向に螺旋状に延びるように設けられたねじ山である。より具体的には、第２の係合部２５は、第２の周壁２４の外周面を底面側から徐々に上側へ移動しながら周方向に延びるねじ山であり、第２の周壁２４が周壁面に有する開口を除いて連続して延びるように設けられる。なお、第２の係合部２５は、最低限ねじの作用が得られる長さで断続的に設けられてもよい。
【００２８】
ガイド孔２６は、ねじ受け孔１４が挿入される孔である。ねじ受け孔１４がガイド孔２６に挿入されることで、取付部１０と器具本体２０との位置関係が決まる。そして、ガイド孔２６を介してねじ止めがされることで、器具本体２０が取付部１０に固定される。
【００２９】
透光性カバー２７は発光部２２を覆って、器具本体２０に取り付けられる。つまり、透光性カバー２７は、器具本体２０の外面の一部を構成し、発光部２２を保護している。透光性カバー２７は、発光部２２が発する光を器具本体２０の外部に透光する材料で構成されている。透光性カバー２７は、例えば、アクリル又はポリカーボネート等の樹脂材料、又は、ガラス材料等により形成される。透光性カバー２７は、例えば発光部２２からの光を集光するための集光機能を有してもよい。例えば、透光性カバー２７は、フレネルレンズであってもよい。また、透光性カバー２７に発光部２２からの光を拡散するための光拡散機能を持たせてもよい。
【００３０】
前面カバー３０は、底部３１の周縁から第３の周壁３４が突出した略有底円筒形状の上側が開口したカバーである。前面カバー３０は、透光性カバー２７が取り付けられた器具本体２０を透光性カバー２７が取り付けられた底面側から覆って、器具本体２０に取り付け可能なカバーである。照明器具１の外観は、前面カバー３０が器具本体２０に取り付けられたときに、図１に示されるように前面カバー３０の外観となる。前面カバー３０は、例えば、アクリル樹脂、ポリカーボネート樹脂、ガラス又はシリコン樹脂等により形成され透光性を有する。また、前面カバー３０は、光拡散性を有し、透光性カバー２７から照射される光を拡散する。前面カバー３０は、底部３１、第１の周壁３２、第１の係合部３３及び第３の周壁３４を有する。
【００３１】
底部３１は、前面カバー３０が器具本体２０を覆うときに、透光性カバー２７と対向する。つまり、底部３１は、器具本体２０の透光性カバー２７が取り付けられた底面側を覆う。底部３１は、曲面形状を有し、透光性カバー２７から照射された光を受け、照明器具１の外へ光を拡散して放出する。
【００３２】
第１の周壁３２は、底部３１から被取付部１００に向かって突出した内周形状が環状の周壁である。第１の周壁３２の内径は、第２の周壁２４の外径よりも大きく、前面カバー３０が器具本体２０を覆うときに、第１の周壁３２の内周面と第２の周壁２４の外周面は周方向に沿って対向する。つまり、第１の周壁３２は、第２の周壁２４を側面から囲む。
【００３３】
第１の係合部３３は、前面カバー３０を器具本体２０に取り付ける構造を有する。例えば、第１の係合部３３は、第１の周壁３２の内周面に設けられたねじ山である。具体的には、第１の係合部３３は、第１の周壁３２の内周面の周方向に螺旋状に延びるように設けられたねじ山である。より具体的には、第１の係合部３３は、第１の周壁３２の内周面を底部３１側から徐々に上側へ移動しながら周方向に延びるねじ山であり、ねじ山が最低限ねじの作用が得られる長さで断続的に延びるように設けられる。なお、第１の係合部３３は、第２の係合部２５と同じように、ねじ山が連続して延びるように設けられてもよい。
【００３４】
第１の係合部３３と第２の係合部２５とにより、前面カバー３０は、別途、締結部材（ねじ等）を使用することなく器具本体２０に取り付けられる。具体的には、後述する図４で詳細に説明する。
【００３５】
第３の周壁３４は、底部３１の周縁から突出し、第１の周壁３２を囲む周壁である。以下、第３の周壁３４について、図３で詳細に説明する。
【００３６】
図３は、実施の形態１に係る照明器具１の上面図及び断面図である。図３では、取付部１０が被取付部１００（天井又は壁等）に取り付けられ、器具本体２０が取付部１０に取り付けられ、前面カバー３０が器具本体２０に取り付けられた状態の照明器具１が示される。取付部１０及び器具本体２０はねじ（図示せず）で固定される。前面カバー３０を器具本体２０に取り付ける方法については後述する図４で詳細に説明する。図３の（ａ）には、照明器具１の上面図が示される。図３の（ｂ）には、図３の（ａ）に示されるＩＩＩ−ＩＩＩ線における断面が示される。また、図３の（ｂ）には、照明器具１の構成要素ではない被取付部１００が示されている。
【００３７】
発光部２２が発した光は、発光部２２を覆う透光性カバー２７から照射され、底部３１及び第１の周壁３２から放出される。底部３１は、透光性カバー２７から照射された光を拡散して照明器具１の外へ放出する。同様に、第１の周壁３２は、透光性カバー２７から照射された光を拡散して放出する。このとき、前面カバー３０が器具本体２０に取り付けられた状態では、図３の（ｂ）に示されるように、第１の周壁３２の内周面と第２の周壁２４の外周面とが接近し、第１の周壁３２の外周面に第２の周壁２４の影が映し出される。これに対して、第３の周壁３４においても発光部２２から照射された光が拡散されて放出される。また、図３の（ｂ）に示されるように、第３の周壁３４と第１の周壁３２との間には空間が設けられ、第３の周壁３４は、この空間越しに第１の周壁３２を囲む。従って、第１の周壁３２と第３の周壁３４との間の空間によって、第１の周壁３２の外周面に映し出された第２の周壁２４の影は薄くなる。つまり、第３の周壁３４は、第１の周壁３２に映し出された第２の周壁２４の影を、照明器具１の外部へ映し出すことを抑制するために設けられた周壁である。
【００３８】
次に、別途、締結部材（ねじ等）を使用することなく前面カバー３０が器具本体２０に取り付けられる構成を、照明器具１が有することを図３の（ｂ）を用いて説明する。
【００３９】
上述したように、第１の周壁３２の内径は、第２の周壁２４の外径よりも大きい。また、第１の周壁３２の内周面には、第１の係合部３３が設けられ、第２の周壁２４の外周面には第２の係合部２５が設けられる。具体的には、第１の周壁３２は、第１の周壁３２の内周面より内側に突出した突起（第１の係合部３３）を有し、第２の周壁２４は、第２の周壁２４の外周面より外側に突出した突起（第２の係合部２５）を有する。このとき、第１の係合部３３及び第２の係合部２５は、第２の周壁２４の第２の係合部２５が設けられた箇所の外径が、第１の周壁３２の第１の係合部３３が設けられた箇所の内径より大きくなるように設けられる。これにより、図３の（ｂ）に示されるように、第１の係合部３３と第２の係合部２５とが掛かり合う状態になることで、前面カバー３０が別途、締結部材（ねじ等）を使用することなく器具本体２０に取り付けられる。言い換えると、第１の係合部３３が第２の係合部２５に支えられる状態、さらに言い換えると、第１の係合部３３が第２の係合部２５に引っ掛かる状態になることで、前面カバー３０が別途、締結部材（ねじ等）を使用することなく器具本体２０に取り付けられる。
【００４０】
従って、前面カバー３０は、第１の係合部３３と第２の係合部２５とが掛かり合うことで、器具本体２０に取り付けられ、第１の係合部３３と第２の係合部２５との掛かり合いが解除されることで取り外される。
【００４１】
［前面カバーを器具本体に取り付ける方法］
次に前面カバー３０を器具本体２０に取り付ける方法について説明する。
【００４２】
図４は、実施の形態１に係る前面カバー３０を器具本体２０に取り付ける方法を説明する図である。
【００４３】
図４には、取付部１０が被取付部１００に取り付けられ、そして器具本体２０が取付部１０に取り付けられた状態が示されている。被取付部１００は、例えば天井である。このように、取付部１０及び器具本体２０が固定された状態で、前面カバー３０は取り付けられる。なお、被取付部１００は壁であってもよい。
【００４４】
図４に示されるように、まず、前面カバー３０の開口が被取付部１００側を向くようにして、前面カバー３０が第１の周壁３２の軸方向の器具本体２０側（天井側）へ移動させられることで、第２の周壁２４が第１の周壁３２の内側に挿入される（図４に示される矢印i）。次に、第２の周壁２４が第１の周壁３２の内側に挿入された後も、前面カバー３０が天井側へ移動させられることで、第２の係合部２５は、第１の係合部３３と接触する。そして、第１の係合部３３と第２の係合部２５とは、第１の係合部３３と第２の係合部２５とが接触した状態で前面カバー３０が第１の周壁３２の軸回り（例えば時計回り）に回転させられることで掛かり合う（図４に示される矢印ii）。つまり、第１の係合部３３と第２の係合部２５とは、第１の周壁３２が第２の周壁２４にねじ入れられることで掛かり合い、前面カバー３０は、器具本体２０に螺合して取り付けられる。また、取り付けられた前面カバー３０が、例えば反時計回りに回転させられることで、第１の係合部３３と第２の係合部２５との掛かり合いは解除され、前面カバー３０は器具本体２０から取り外される。
【００４５】
このように、前面カバー３０は、第１の係合部３３と第２の係合部２５とが掛かり合うことで、器具本体２０に着脱自在に取り付けられる。
【００４６】
なお、前面カバー３０は、透光性を有し透光性カバー２７から照射される光を拡散するカバーであったが、これに限らない。例えば前面カバー３０は、透光性を有さず透光性カバー２７から照射される光を通過させる開口３５を有する前面カバー３０ａであってもよい。
【００４７】
図５は、実施の形態１に係る透光性を有さない前面カバー３０ａが取り付けられた照明器具１を説明する図である。図５には、図３の（ｂ）における透光性を有する前面カバー３０が、透光性を有さない前面カバー３０ａに置き換えられたときの断面が示されている。
【００４８】
前面カバー３０ａは、円形形状の底部３１ａの周縁から第１の周壁３２ａが突出した略有底円筒形状の上面側が開口したカバーである。第１の周壁３２ａには、第１の係合部３３ａが設けられる。第１の係合部３３ａは、第１の係合部３３と同様に、第２の係合部２５と掛かり合う構造を有し、前面カバー３０ａは器具本体２０に螺合される。前面カバー３０ａは、透光性を有さない例えば合成樹脂材料等により形成される。また、前面カバー３０ａは、略有底円筒形状であるが、底部３１ａには開口３５が設けられる。開口３５は、透光性カバー２７から照射された光を通過させる。つまり前面カバー３０ａが取り付けられた照明器具１は、透光性カバー２７により集光された光をそのまま照明器具１の外へ放出する。
【００４９】
このように、透光性カバー２７により集光された光をそのまま照明器具１の外へ放出する前面カバー３０ａが、器具本体２０に着脱自在に取り付けられてもよい。
【００５０】
［効果等］
照明器具の外観を変えたいという要望がある。これに対して、例えば、照明器具の前面（光を主に放出する面）を覆う前面カバーが取り換えられることで照明器具の外観が変えられる。
【００５１】
しかし、前面カバーがねじ又は接着剤等で固定されていることがあり、ユーザが容易にカバーを取り替えることができないことがある。
【００５２】
そこで、本実施の形態に係る照明器具１は、被取付部１００に取り付けられる取付部１０と、取付部１０に取り付けられ、発光部２２及び発光部２２に電力を供給する電源回路２１が設けられた器具本体２０と、発光部２２を覆って、器具本体２０に取り付けられる透光性カバー２７とを備える。また、照明器具１は、透光性カバー２７が取り付けられた器具本体２０を覆って、器具本体２０に取り付け可能な前面カバー３０を備える。前面カバー３０には、前面カバー３０を器具本体２０に取り付けるための第１の係合部３３が設けられ、器具本体２０には、前面カバー３０を器具本体２０に取り付けるための第２の係合部２５が設けられる。そして、前面カバー３０は、第１の係合部３３と第２の係合部２５とが掛かり合うことで、器具本体２０に着脱自在に取り付けられる。
【００５３】
これにより、器具本体２０と前面カバー３０とが掛かり合うため、別途、締結部材（ねじ等）を使用することなく、ユーザが前面カバー３０を容易に着脱することができる。つまり、前面カバー３０が容易に着脱できるため、前面カバー３０を形状等の異なる前面カバーに取り換えることができる。例えば、外観が角柱、円柱、角錐又は円錐等の立体形状の異なる前面カバーが取り換えられてもよい。また、色の異なる前面カバーが取り換えられてもよい。また、光拡散の度合いの異なる前面カバーが取り換えられてもよい。従って、ユーザは、前面カバー３０を容易に取り換えることができ、照明器具１の外観を変えることができる。
【００５４】
また、前面カバー３０が着脱されることによっても、照明器具１の外観を変えることができる。例えば、前面カバー３０が取り付けられている場合には、照明器具１の外観は照明器具１を覆っている前面カバー３０の外観となる。一方、前面カバー３０が取り外されている場合には、照明器具１の外観は前面カバー３０が取り外された照明器具１の器具本体２０が露出された外観となる。ただし、前面カバー３０が取り外されている場合には、発光部２２が透光性カバー２７で保護されていることが好ましい。また、前面カバー３０が取り外されている場合には、埃等の進入から器具本体２０を保護するために、第２の周壁２４には開口が設けられず、第２の周壁２４が器具本体２０の側面を全周囲っていることが好ましい。このように、前面カバー３０が着脱されることによっても、照明器具１の外観を変えることができる。
【００５５】
また、前面カバー３０は、透光性を有し透光性カバー２７から照射される光を拡散する。
【００５６】
また、前面カバー３０は、透光性を有さず透光性カバー２７から照射される光を通過させる開口を有する。
【００５７】
これにより、透光性を有し光を拡散する前面カバー３０が取り付けられた場合には、照明器具１から放出される光を拡散光にすることができる。また、透光性を有さず透光性カバー２７から照射される光を通過させる開口を有する前面カバー３０が取り付けられた場合には、照明器具１から放出される光を透光性カバー２７で例えば集光された光等に変えることができる。また、ユーザは、透光性を有し光を拡散する前面カバーと透光性を有さず透光性カバー２７から照射される光を通過させる開口を有する前面カバーとを容易に取り換えることができ、照明器具１の外観を変えることができる。
【００５８】
また、前面カバー３０は、底部３１と、底部３１から突出した第１の周壁３２と、を有する。器具本体２０は、電源回路２１及び発光部２２を囲む第２の周壁２４を有する。そして、底部３１及び第１の周壁３２は、第２の周壁２４を覆う。
【００５９】
これにより、器具本体２０は、前面カバー３０の底部３１及び第１の周壁３２により、周囲のより多くの領域を覆われる。従って、ユーザが前面カバー３０を取り換えることで、照明器具１の外観をより変えることができる。
【００６０】
また、前面カバー３０は、底部３１の周縁から突出し、第１の周壁３２を囲む第３の周壁３４を有する。
【００６１】
これにより、前面カバー３０が透光性を有し、光を拡散させるカバーの場合、器具本体２０と接触している第１の周壁３２に器具本体２０の影が映るが、器具本体２０の影が映った第１の周壁３２をさらに第３の周壁３４が覆うため、器具本体２０の影を目立たなくすることができる。
【００６２】
また、第１の周壁３２は、内周形状が環状であり、第１の係合部３３は、第１の周壁３２の内周面に設けられたねじ山である。また、第２の周壁２４は、外周形状が環状であり、第２の係合部２５は、第２の周壁２４の外周面に設けられたねじ山である。そして、第１の係合部３３と第２の係合部２５とは、第１の周壁３２に第２の周壁２４がねじ入れられることで、掛かり合う。
【００６３】
これにより、前面カバー３０は、ねじ入れる及びねじ外すという簡単な動作で器具本体２０に着脱されるため、ユーザが前面カバー３０をより容易に取り換えることができる。また、前面カバー３０は、ねじの作用で取り付けられるため、意図的に取り外すとき以外には外れにくくなる。
【００６４】
（実施の形態１の変形例）
以下、実施の形態１の変形例について、図６から図９を用いて説明する。
【００６５】
実施の形態１の変形例の照明器具１ａは、器具本体２０及び前面カバー３０の側面を囲むための、筒状の枠体４０を備える。この点が、実施の形態１の照明器具１と異なる。それ以外の構成要素は実施の形態１の照明器具１におけるものと同じであるため、説明は省略する。
【００６６】
図６は、実施の形態１の変形例に係る照明器具１ａの外観斜視図である。
【００６７】
照明器具１ａは、天井又は壁等に取り付けられる照明器具である。照明器具１ａが天井又は壁等に取り付けられ、使用されるときには、照明器具１ａは前面カバー３０及び枠体４０に覆われた状態になる。従って、図６に示されるように、照明器具１ａの見た目（外観）は、例えば、前面カバー３０及び枠体４０の見た目（外観）となる。
【００６８】
図７は、実施の形態１の変形例に係る照明器具１ａを下側から見た分解斜視図である。図７には、取付部１０に器具本体２０が取り付けられた状態の分解斜視図が示されている。
【００６９】
図７に示されるように、照明器具１ａは、さらに枠体４０を備える。
【００７０】
枠体４０は、照明器具１ａを装飾する飾りである。枠体４０は、軸方向に（ｚ軸方向）に開口４２及び開口４３が設けられた円筒形状を有し、器具本体２０及び前面カバー３０を囲むように取り付けられる。枠体４０は、例えば透光性を有さない合成樹脂材料により形成される。なお、枠体４０は、例えば透光性を有してもよく、前面カバー３０から放出された光を透光してもよい。また、枠体４０は、前面カバー３０から放出された光を反射してもよい。また、枠体４０は、例えば階段状に形成され、開口４２から開口４３に向けて、内径及び外径が大きくなる。枠体４０は、開口４２に突起部４１を有する。
【００７１】
突起部４１は、枠体４０の一方の開口（開口４２）に近い内周面に周方向に延びるように設けられた突起である。突起部４１は、枠体４０の開口４２に近い内周面から例えば略垂直に突出している。また、突起部４１は、枠体４０の突起部４１における内径が、枠体４０の内周面の内径のうち最も小さくなるように設けられる。突起部４１について、図８でより詳細に説明する。
【００７２】
図８は実施の形態１の変形例に係る照明器具１ａの上面図及び断面図である。図８では、図３に示される照明器具１から、さらに、枠体４０が取り付けられた状態の照明器具１ａが示される。枠体４０を取り付ける方法については後述する図９で詳細に説明する。図８の（ａ）には、照明器具１ａの上面図が示される。図８の（ｂ）には、図８の（ａ）に示されるＶＩＩＩ−ＶＩＩＩ線における断面が示される。また、図８の（ｂ）には、照明器具１ａの構成要素ではない被取付部１００が示されている。
【００７３】
図８の（ｂ）に示されるように、突起部４１は、枠体４０の突起部４１における内径が、第３の周壁３４の先端における外径よりも小さくなるように設けられる。これにより、前面カバー３０の第３の周壁３４の先端が、開口４３から開口４２へ向けて枠体４０の内側に挿入されていくと、第３の周壁３４と突起部４１とが接触する。なお、前面カバー３０が取り付けられたときに、第３の周壁３４の先端面と突起部４１の突出方向が略垂直になるように、突起部４１は設けられることが好ましい。図８の（ｂ）には、第３の周壁３４と突起部４１とが接触した状態が示されている。次に、枠体４０を取り付ける方法について説明する。
【００７４】
図９は、実施の形態１の変形例に係る枠体４０を取り付ける方法を説明する図である。
【００７５】
図９には、取付部１０が被取付部１００（例えば天井）に取り付けられ、そして器具本体２０が取付部１０に取り付けられた状態が示されている。このように、取付部１０及び器具本体２０が固定された状態で、前面カバー３０及び枠体４０は取り付けられる。
【００７６】
図９に示されるように、まず枠体４０が被取付部１００に取付部１０と一体となって取り付けられた器具本体２０を囲む。そして、第１の係合部３３と第２の係合部２５とが掛かり合うことで、前面カバー３０が、器具本体２０に螺合して取り付けられる。このとき、枠体４０は、突起部４１が第３の周壁３４の先端により枠体４０の軸方向へ押圧され、被取付部１００と挟持される。
【００７７】
ここで、枠体４０を取り付ける方法についてより具体的に説明する。ユーザは枠体４０を例えば左手で持ち上げ、枠体４０の開口４２側から器具本体２０を枠体４０の内側へ挿入する。ユーザが引き続き枠体４０を持ち上げることで、枠体４０の開口４２は例えば被取付部１００に接触する。次に、ユーザは前面カバー３０を例えば右手で持ち上げ、図４で説明したように、前面カバー３０を器具本体２０に螺合して取り付ける。突起部４１は、枠体４０の突起部４１における内径が、第３の周壁３４の先端における外径よりも小さくなるように設けられているため、ユーザが前面カバー３０を回転させていくと、前面カバー３０は被取付部１００側へ移動していき、突起部４１と第３の周壁３４の先端とが接触する。さらに前面カバー３０が回転させられると、突起部４１が第３の周壁３４の先端により枠体４０の軸方向（被取付部１００側）へ押圧されるため、枠体４０は、被取付部１００と前面カバー３０とに挟まれて固定される。
【００７８】
このように、枠体４０は、前面カバー３０の回転量に応じて被取付部１００と前面カバー３０とに挟まれて固定される。これにより、前面カバー３０の回転量を調整することで、突起部４１の厚み（ｚ軸方向の長さ）、又は、突起部４１が設けられる位置が異なる枠体４０を取り付けることができる。例えば、突起部４１の厚みが厚い場合には、前面カバー３０の回転量を少なくし、突起部４１の厚みが薄い場合には、前面カバー３０の回転量を多くする。また、前面カバー３０が器具本体２０から取り外される方向へ回転させられることで、枠体４０も取り外される。なお、取付部１０の大きさが枠体４０の開口４２側の外径よりも大きい場合には、枠体４０は、前面カバー３０の回転量に応じて、被取付部１００の代わりに取付部１０と前面カバー３０とに挟まれて固定されてもよい。
【００７９】
なお、図５に示されるように、器具本体２０に第３の周壁３４を有さない前面カバー３０ａが螺合される場合にも、枠体４０が着脱されてもよい。この場合、突起部４１は、枠体４０の突起部４１における内径が、第１の周壁３２ａの先端における外径よりも小さくなるように設けられる。ユーザが前面カバー３０ａを回転させていくと、前面カバー３０ａは被取付部１００側へ移動していき、突起部４１と第１の周壁３２ａの先端とが接触する。さらに前面カバー３０ａが回転させられると、突起部４１が第１の周壁３２ａの先端により枠体４０の軸方向（天井方向）へ押圧されるため、枠体４０は、被取付部１００と前面カバー３０ａとに挟まれて固定される。
【００８０】
このように、照明器具１ａは、器具本体２０及び前面カバー３０を囲むための筒状の枠体４０を備え、枠体４０は、第１の周壁３２が第２の周壁２４にねじ入れられることで前面カバー３０と被取付部１００又は取付部１０とに挟まれ、挟持される。
【００８１】
これにより、ユーザは前面カバー３０を器具本体２０に着脱自在に取り付けることで、枠体４０を着脱自在に取り付けることができる。枠体４０は、照明器具１ａを装飾する飾りであるため、ユーザは、枠体４０を取り付けることで照明器具１ａの外観を変えることができる。また、枠体４０が容易に着脱できるため、枠体４０を形状等の異なる枠体４０に取り換えることができる。例えば、枠体４０は、第１の周壁３２が第２の周壁２４にねじ入れられて、前面カバー３０と天井、壁又は取付部１０とに挟まれるため、高さの異なる枠体４０が取り換えられる。つまり、照明器具１は、高さの異なる枠体４０が取り換えられる構造を有するため、枠体４０が取り換えられることによる照明器具１の外観の変更を容易にする。また、枠体４０を色の異なる枠体４０に取り換えることができる。例えば木目調のカラー、メタリックなカラー等の枠体４０が取り換えられてもよい。
【００８２】
（実施の形態２）
以下、実施の形態２について、図１０及び図１１を用いて説明する。
【００８３】
実施の形態２の照明器具２は、取付部１０の代わりに取付部５０を備え、器具本体２０の代わりに器具本体６０を備える点が実施の形態１の照明器具１と異なる。それ以外の構成要素は実施の形態１の照明器具１におけるものと同じであるため、説明は省略する。
【００８４】
図１０は、実施の形態２に係る照明器具２の外観斜視図である。図１０には、照明器具２の構成要素ではない被取付部１０１が示されている。被取付部１０１は、引掛シーリングである。
【００８５】
照明器具２は、被取付部１０１（引掛シーリング）に取り付けられる照明器具である。照明器具２が被取付部１０１に取り付けられ、使用されるときには、照明器具２は前面カバー３０に覆われた状態になる。従って、図１０に示されるように、照明器具２の見た目（外観）は、例えば、前面カバー３０の見た目（外観）となる。
【００８６】
図１１は、実施の形態２に係る照明器具２を上側から見た分解斜視図である。
【００８７】
図１１に示されるように、照明器具２は取付部５０、器具本体６０及び前面カバー３０を備える。前面カバー３０は実施の形態１におけるものと同じであるため説明は省略する。
【００８８】
取付部５０は、被取付部１０１に取り付けられる取付板である。取付部５０には、被取付部１０１に取り付けられる引掛栓刃部５１が設けられている。取付部５０は、例えば合成樹脂材料により形成される。
【００８９】
引掛栓刃部５１は、照明器具２を被取付部１０１と電気的及び機械的に接続するための例えばアダプタ装置であり、被取付部１０１が有する１対の刃受けに接続される１対の引掛栓刃５１ａを有する。
【００９０】
器具本体６０は、端子台２３が備えられていない点が器具本体２０と異なる。器具本体６０は、照明器具２を被取付部１０１と電気的及び機械的に接続するための引掛栓刃部５１を備えるため、天井又は壁等からの電線を中継接続する端子台２３が備えられなくてもよい。それ以外の器具本体６０の構成要素は器具本体２０におけるものと同じであるため、説明は省略する。
【００９１】
実施の形態２における前面カバー３０を器具本体６０に取り付ける方法は、実施の形態１で説明した前面カバー３０を器具本体２０に取り付ける方法と同じである。つまり、引掛シーリングに取り付けられる照明器具２は、天井又は壁等に直接取り付けられる照明器具１と同様に第１の係合部３３と第２の係合部２５とが掛かり合うことで前面カバー３０が取り付けられる。
【００９２】
このように、取付部５０には、被取付部１０１に取り付けられる引掛栓刃部５１が設けられている。
【００９３】
これにより、引掛シーリングに取り付けられる照明器具２について、ユーザが前面カバー３０を容易に取り換えることができ、照明器具２の外観を変えることができる。
【００９４】
（実施の形態２の変形例）
以下、実施の形態２の変形例について、図１２及び図１３を用いて説明する。
【００９５】
実施の形態２の変形例の照明器具２ａは、器具本体６０及び前面カバー３０の側面を囲むための、筒状の枠体４０を備える。この点が、実施の形態２の照明器具２と異なる。それ以外の構成要素は実施の形態２の照明器具２におけるものと同じであるため、説明は省略する。
【００９６】
図１２は、実施の形態２の変形例に係る照明器具２ａの外観斜視図である。
【００９７】
照明器具２ａは、被取付部１０１（引掛シーリング）に取り付けられる照明器具である。照明器具２ａが被取付部１０１に取り付けられ、使用されるときには、照明器具２ａは前面カバー３０及び枠体４０に覆われた状態になる。従って、図１２に示されるように、照明器具２ａの見た目（外観）は、例えば、前面カバー３０及び枠体４０の見た目（外観）となる。枠体４０は、実施の形態１の変形例におけるものと同じであるため詳細な説明は省略する。
【００９８】
次に、実施の形態２の変形例における枠体４０を取り付ける方法について図１３を用いて説明する。
【００９９】
図１３は実施の形態２の変形例に係る照明器具２ａの上面図及び断面図である。図１３では、図８に示される照明器具１ａから、枠体４０が取り付けられた状態の照明器具２ａが示される。図１３の（ａ）には、照明器具２ａの上面図が示されるが、照明器具２ａの構成要素ではない被取付部１０１が示されている。図１３の（ｂ）には、図１３の（ａ）に示されるＸＩＩＩ−ＸＩＩＩ線における断面が示される。また、図１３の（ｂ）には、照明器具２ａの構成要素ではない被取付部１００及び１０１が示されている。
【０１００】
図１３の（ｂ）に示されるように、突起部４１は、枠体４０の突起部４１における内径が、第３の周壁３４の先端における外径よりも小さくなるように設けられる。これにより、前面カバー３０が器具本体６０に螺合していくことで、前面カバー３０の第３の周壁３４の先端が、開口４３から開口４２へ向けて枠体４０の内側に挿入されていき、第３の周壁３４と突起部４１とが接触する。そして、さらに前面カバー３０が回転させられると、突起部４１が第３の周壁３４の先端により枠体４０の軸方向（天井方向）へ押圧されるため、枠体４０は、取付部５０と前面カバー３０とに挟まれて固定される。実施の形態１の変形例においては、枠体４０は、被取付部１００又は取付部１０と前面カバー３０とに挟まれて固定されたが、実施の形態２の変形例では、枠体４０は、被取付部１００とは挟まれない。照明器具２ａは、被取付部１０１に取り付けられているため、取付部５０と被取付部１００との間に少なくとも被取付部１０１の厚み（ｚ軸方向の長さ）に相当する隙間が生じる。これにより、枠体４０は、取付部５０と前面カバー３０とに挟まれて固定されることが好ましい。
【０１０１】
このように、枠体４０は、前面カバー３０の回転量に応じて取付部５０と前面カバー３０とに挟まれて固定される。これにより、前面カバー３０の回転量を調整することで、突起部４１の厚み（ｚ軸方向の長さ）、又は、突起部４１が設けられる位置が異なる枠体４０を取り付けることができる。また、前面カバー３０が器具本体６０から取り外される方向へ回転させられることで、枠体４０も取り外される。従って、ユーザは前面カバー３０を器具本体６０に着脱自在に取り付けることで、枠体４０を着脱自在に取り付けることができる。枠体４０は、照明器具２ａを装飾する飾りであるため、ユーザは、枠体４０を取り付けることで照明器具２ａの外観を変えることができる。
【０１０２】
（その他の実施の形態）
以上、本発明に係る照明器具について、上記実施の形態に基づいて説明したが、本発明は、上記の実施の形態に限定されるものではない。
【０１０３】
上記実施の形態では、前面カバー３０は、ねじの作用で着脱自在に取り付けられたが、これに限らない。例えば、第１の係合部３３及び第２の係合部２５の形状は、第１の係合部３３と第２の係合部２５とが掛かり合う形状であればよい。例えば、第１の係合部３３は、第１の周壁３２に前面カバー３０の開口から底部３１側へＬ字状に設けられた切り欠きで、第２の係合部２５は、第２の周壁２４の外周面から突出した、第１の係合部３３の切り欠きの幅に対応した大きさの突起であってもよい。これにより、第２の係合部２５が第１の係合部３３の切り欠きにはめ込まれ第１の係合部３３の切り欠きの底（Ｌ字の底）に接触したときに、前面カバー３０が回転させられることで、第１の係合部３３と第２の係合部２５とは掛かり合う（第１の係合部３３が第２の係合部２５に引っ掛かる）。
【０１０４】
また、上記実施の形態では、照明器具は被取付部１００（天井又は壁等）又は１０１（引掛シーリング）に取り付けられたが、これに限らない。例えば、照明器具は、口金を有し、天井又は壁等に設けられたソケットに取り付けられてもよい。また、例えば、照明器具は、ペンダントライトであってもよく、天井から吊り下げられて取り付けられてもよい。
【０１０５】
また、上記実施の形態では、枠体４０は照明器具を装飾する飾りであったが、これに限らない。例えば、枠体４０は、照明器具を装飾し、かつ、センサを備えてもよい。センサは、例えば人感センサであり、赤外線等を検出する。センサは、例えば、人の存在又は動き等を検出し、人の有無等に応じて照明器具の点灯、消灯が切り替えられてもよい。
【０１０６】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０７】
１、１ａ、２、２ａ  照明器具
１０、５０  取付部
２０、６０  器具本体
２１  電源回路
２２  発光部
２４  第２の周壁
２５  第２の係合部
２７  透光性カバー
３０、３０ａ  前面カバー
３１、３１ａ  底部
３２、３２ａ  第１の周壁
３３、３３ａ  第１の係合部
３４  第３の周壁
３５  開口
４０  枠体
５１  引掛栓刃部
１００、１０１  被取付部
【図１】
0006471939.tif 000002
【図２】
0006471939.tif 000003
【図３】
0006471939.tif 000004
【図４】
0006471939.tif 000005
【図５】
0006471939.tif 000006
【図６】
0006471939.tif 000007
【図７】
0006471939.tif 000008
【図８】
0006471939.tif 000009
【図９】
0006471939.tif 000010
【図１０】
0006471939.tif 000011
【図１１】
0006471939.tif 000012
【図１２】
0006471939.tif 000013
【図１３】
0006471939.tif 000014